(57)【特許請求の範囲】
【請求項１】
円盤状の土台と、土台の外周部に形成された壁部とからなる枠体を備えるとともに、壁部から枠体の中心方向に向かって横向きに形成された第一のブラシと、土台の中央部領域に配列されて上向きに形成された第二のブラシと、第一のブラシと第二のブラシとの間の領域に配列されて上向きに形成された第三のブラシとを備え、第二のブラシは第三のブラシよりも長く形成され、第二のブラシの長さは、中心部で最も長く、外周方向に向かって漸次短くなっている入れ歯磨き器であって、前記土台の下面に取手が設けられており、前記取手は、前記土台の下面側を覆う突部を貫通する空隙部が設けられて形成されていることを特徴とする入れ歯磨き器。
【請求項２】
円盤状の土台と、土台の外周部に形成された壁部とからなる枠体を備えるとともに、壁部から枠体の中心方向に向かって横向きに形成された第一のブラシと、土台の中央部領域に配列されて上向きに形成された第二のブラシと、第一のブラシと第二のブラシとの間の領域に配列されて上向きに形成された第三のブラシとを備え、第二のブラシは第三のブラシよりも長く形成され、第二のブラシの長さは、中心部で最も長く、外周方向に向かって漸次短くなっている入れ歯磨き器であって、前記土台の下面に取手が設けられており、前記取手は、前記土台の下面側を覆う突部の中央部において下側に突出する突起が設けられて形成されていることを特徴とする入れ歯磨き器。
【請求項３】
円盤状の土台と、土台の外周部に形成された壁部とからなる枠体を備えるとともに、壁部から枠体の中心方向に向かって横向きに形成された第一のブラシと、土台の中央部領域に配列されて上向きに形成された第二のブラシと、第一のブラシと第二のブラシとの間の領域に配列されて上向きに形成された第三のブラシとを備え、第二のブラシは第三のブラシよりも長く形成され、第二のブラシの長さは、中心部で最も長く、外周方向に向かって漸次短くなっている入れ歯磨き器であって、前記枠体に嵌合する蓋を備え、前記蓋は、円盤状の上板と、上板の外周部に形成された外板とからなる蓋本体を備えるとともに、上板の中央部領域に配列されて下向きに形成された第四のブラシと、外板と第四のブラシとの間の領域に配列されて下向きに形成された第五のブラシとを備え、第四のブラシは第五のブラシよりも長く形成され、第四のブラシの長さは、中心部で最も長く、外周方向に向かって漸次短くなっていることを特徴とする入れ歯磨き器。
【請求項４】
前記第一のブラシは、硬い材質で短く形成された硬質短尺ブラシと、硬質短尺ブラシよりも柔らかい材質で長く形成された軟質長尺ブラシとによって構成されていることを特徴とする請求項１から３のいずれかに記載の入れ歯磨き器。
【請求項５】
前記壁部の外周側に、壁部の周方向に間隔を置いて設けられた複数の凸部を備えていることを特徴とする請求項１から４のいずれかに記載の入れ歯磨き器。
【請求項６】
前記土台の下面側に滑り止めが設けられていることを特徴とする請求項１から５のいずれかに記載の入れ歯磨き器。
【発明の詳細な説明】
【技術分野】
【０００１】
本発明は、入れ歯の隅々まで簡単な操作で短時間に磨くことが可能な入れ歯磨き器に関する。
【背景技術】
【０００２】
入れ歯の汚れ除去を目的とした装置には様々なものがあり、その一例として超音波を利用したものや、洗浄液を利用したものがある。装置の構造に関しては、特許文献１に記載されている歯ブラシ型形状のものの他、特許文献２に記載されているブラシをＵ字型に配置したもの等がある。
【先行技術文献】
【特許文献】
【０００３】
【特許文献１】実開平７−３９５６８号公報
【特許文献２】特許第２７８７５６８号公報
【発明の概要】
【発明が解決しようとする課題】
【０００４】
特許文献１に記載されたものは、歯ブラシの毛の構造を工夫したものであるが、歯ブラシを用いて入れ歯の隅々まで磨こうとすると、手間と時間がかかるという問題がある。
また、特許文献２に記載されたものは、入れ歯を磨くブラシがＵ字型に配置されているため、入れ歯磨きに要する時間は短縮できると考えられるが、ブラシが連結される芯線は駆動機構に連結されて回転する構造となっているため、電気的な配線を必要とし、簡便で小型な構造となりにくい。
【０００５】
入れ歯は汚れが溜まりやすい箇所がいくつかあり、簡単な操作で一気に汚れを除去できることが望ましい。また、入れ歯磨き器は、老人が使用している場合が多く、自分が使用する入れ歯を自分自身で磨くケースが多い。老人は握力が低下していることが多く、入れ歯磨き器を使用する際には、弱い握力で入れ歯磨き器を握っても、簡単な操作で綺麗に入れ歯を磨くことができることが必要である。
【０００６】
本発明は、このような問題点を解決するためになされたもので、簡単な操作で一気に入れ歯の汚れを除去することができ、握力が弱い人が使用しても簡便に汚れを落とすことが可能な入れ歯磨き器を提供することを目的とする。
【課題を解決するための手段】
【０００７】
以上の課題を解決するために、本発明の入れ歯磨き器は、円盤状の土台と、土台の外周部に形成された壁部とからなる枠体を備えるとともに、壁部から枠体の中心方向に向かって横向きに形成された第一のブラシと、土台の中央部領域に配列されて上向きに形成された第二のブラシと、第一のブラシと第二のブラシとの間の領域に配列されて上向きに形成された第三のブラシとを備え、第二のブラシは第三のブラシよりも長く形成され、第二のブラシの長さは、中心部で最も長く、外周方向に向かって漸次短くなっていることを特徴とする。
【０００８】
通常使用される入れ歯は、入れ歯本体の周囲に歯が配列されて構成されており、入れ歯を入れ歯磨き器に嵌めこむと、歯の外周端に第一のブラシの毛先が当接し、歯の下端に第三のブラシの毛先が当接し、歯の内周端から入れ歯本体に亘って第二のブラシの毛先が当接する。そのため、入れ歯を入れ歯磨き器に嵌めこんだ状態で、手で入れ歯を回転させるだけで、入れ歯磨き器のそれぞれのブラシがスライドし、歯の外周端と下端と内周端および入れ歯本体に付着した汚れを簡単に除去することができる。そのため、簡単な操作で短時間に入れ歯の清掃が可能となる。
【０００９】
本発明の入れ歯磨き器においては、前記第一のブラシは、硬い材質で短く形成された硬質短尺ブラシと、硬質短尺ブラシよりも柔らかい材質で長く形成された軟質長尺ブラシとによって構成されていることとすることができる。
【００１０】
硬い材質で短く形成された硬質短尺ブラシの毛先が当接することによって、入れ歯に付着した大きめの付着物を強い力で除去することができるとともに、柔らかい材質で長く形成された軟質長尺ブラシの毛先が当接することによって、入れ歯の細かい隙間に付着した小さめの付着物を丁寧に除去することができる。このような異なる機能を持つ複数の種類のブラシを配列することにより、入れ歯を入れ歯磨き器に嵌めこんだ状態で、手で入れ歯を回転させるだけで、質的に異なる汚れの除去を簡単に行うことができる。
【００１１】
本発明の入れ歯磨き器においては、前記壁部の外周側に、壁部の周方向に間隔を置いて設けられた複数の凸部を備えていることとすることができる。
【００１２】
入れ歯を入れ歯磨き器に嵌めこんだ状態で、手で入れ歯を回転させる際には、入れ歯を一方の手で持ち、他方の手で入れ歯磨き器を持って入れ歯の清掃を行うが、壁部の外周側に、壁部の周方向に間隔を置いて設けられた複数の凸部を備えていることにより、弱い握力で入れ歯磨き器を握っても、しっかりと入れ歯磨き器を持つことができ、簡単な操作で綺麗に入れ歯を磨くことができる。
【００１３】
本発明の入れ歯磨き器においては、前記土台の下面に取手が設けられており、前記取手は、前記土台の下面側を覆う突部を貫通する空隙部が設けられて形成されていることとすることができる。
【００１４】
土台の下面に取手が設けられており、前記取手は、前記土台の下面側を覆う突部を貫通する空隙部が設けられたものであることにより、この空隙部に手を差し込んで、取手を握った状態で入れ歯磨き器を持つことができるため、弱い握力で入れ歯磨き器を握っても、しっかりと入れ歯磨き器を持つことができ、簡単な操作で綺麗に入れ歯を磨くことができる。
【００１５】
本発明の入れ歯磨き器においては、前記土台の下面に取手が設けられており、前記取手は、前記土台の下面側を覆う突部の中央部において下側に突出する突起が設けられて形成されていることとすることができる。
【００１６】
土台の下面に取手が設けられており、前記取手は、前記土台の下面側を覆う突部の中央部において下側に突出する突起が設けられたものであることにより、突起を手の指で挟んだ状態で入れ歯磨き器を持つことができるため、しっかりと入れ歯磨き器を持つことができ、弱い握力で入れ歯磨き器を握っても、簡単な操作で綺麗に入れ歯を磨くことができる。
【００１７】
本発明の入れ歯磨き器においては、前記土台の下面側に滑り止めが設けられていることとすることができる。
【００１８】
片手が使用できない場合には、入れ歯磨き器を台上に置いて使用することになるが、この場合に、土台の下面側に滑り止めが設けられていることにより、入れ歯を入れ歯磨き器に嵌めこんだ状態で、手で入れ歯を回転させる際に、入れ歯磨き器を台上で動かないように固定することができる。そのため、片手でも入れ歯の清掃を行うことができる。また、滑り止めによる仮固定であるため、入れ歯の清掃が終了すれば、入れ歯磨き器を台上から取り外すことも容易にできる。滑り止めとしては、入れ歯磨き器と台との接触摩擦係数が増大するように形成されたものであれば、何であってもよい。
【００１９】
本発明の入れ歯磨き器においては、前記枠体に嵌合する蓋を備え、前記蓋は、円盤状の上板と、上板の外周部に形成された外板とからなる蓋本体を備えるとともに、上板の中央部領域に配列されて下向きに形成された第四のブラシと、外板と第四のブラシとの間の領域に配列されて下向きに形成された第五のブラシとを備え、第四のブラシは第五のブラシよりも長く形成され、第四のブラシの長さは、中心部で最も長く、外周方向に向かって漸次短くなっていることとすることができる。
【００２０】
枠体の壁部に嵌合する蓋を備え、この蓋を枠体の壁部に上方から嵌合させると、一方の手で枠体を持ち、他方の手で蓋を持って相互に回転させることによって、入れ歯磨き器に嵌めこまれた入れ歯の清掃を、入れ歯自体を持たずに、枠体と蓋の回転によって行うことができ、操作性が向上する。
【発明の効果】
【００２１】
本発明によると、簡単な操作で一気に入れ歯の汚れを除去することができ、握力が弱い人が使用しても簡便に汚れを落とすことが可能な入れ歯磨き器を実現することができる。
【図面の簡単な説明】
【００２２】
【図１】本発明の実施形態に係る入れ歯磨き器の構造を示す図である。
【図２】入れ歯磨き器を手で持つ際に使用する握り部分の構造を示す図である。
【図３】土台の下面側に滑り止めが設けられた例を示す図である。
【図４】枠体に嵌合する蓋を示す図である。
【図５】枠体と蓋とを嵌合させる様子を示す図である。
【図６】入れ歯磨き器に入れ歯を嵌めこんだときに、ブラシが入れ歯に当たる状態を示す図である。
【発明を実施するための形態】
【００２３】
以下に、本発明の入れ歯磨き器を、その実施形態に基づいて説明する。
図１に、本発明の実施形態に係る入れ歯磨き器の構造を示す。図１（ａ）は、入れ歯磨き器の平面図であり、図１（ｂ）は、入れ歯磨き器のＡ―Ａ断面図である。また、図１（ｃ）は、入れ歯磨き器の変形例の平面図であり、図１（ｄ）は、入れ歯磨き器の変形例のＢ―Ｂ断面図である。
【００２４】
図１（ａ）、図１（ｂ）に示すように、入れ歯磨き器１は、円盤状の土台２と、土台２の外周部に形成された壁部３とからなる枠体４を備えている。壁部３から枠体４の中心方向に向かって横向きに第一のブラシ５が形成され、土台２の中央部領域に配列されて上向きに第二のブラシ６が形成されている。また、第一のブラシ５と第二のブラシ６との間の領域に配列されて上向きに形成された第三のブラシ７を備えている。第二のブラシ６は第三のブラシ７よりも長く形成されており、第二のブラシ６の長さは、中心部８で最も長く、外周方向に向かって漸次短くなっている。第一のブラシ５、第二のブラシ６、第三のブラシ７のそれぞれの機能については、後に詳述する。
【００２５】
図１（ｃ）、図１（ｄ）に示す入れ歯磨き器１では、枠体４、第二のブラシ６、第三のブラシ７は、図１（ａ）、図１（ｂ）に示すものと同様であるが、第一のブラシ５は、硬い材質で短く形成された硬質短尺ブラシ９と、硬質短尺ブラシ９よりも柔らかい材質で長く形成された軟質長尺ブラシ１０とによって構成されている。図１（ｃ）では、壁部３の周方向を２分割して、それぞれの半周分に硬質短尺ブラシ９と軟質長尺ブラシ１０とを配置しているが、硬質短尺ブラシ９と軟質長尺ブラシ１０の配置方法はこれに限定されず、壁部３の周方向をいくつかのブロックに分割して、硬質短尺ブラシ９と軟質長尺ブラシ１０とを交互に配置してもよい。
【００２６】
硬い材質で短く形成された硬質短尺ブラシ９の毛先が当接することによって、入れ歯に付着した大きめの付着物を強い力で除去することができる。また、柔らかい材質で長く形成された軟質長尺ブラシ１０の毛先が当接することによって、入れ歯の細かい隙間に付着した小さめの付着物を丁寧に除去することができる。このような異なる機能を持つ複数の種類のブラシを配列することにより、入れ歯を入れ歯磨き器１に嵌めこんだ状態で、手で入れ歯を回転させるだけで、質的に異なる汚れの除去を簡単に行うことができる。
【００２７】
図２に、入れ歯磨き器１を手で持つ際に使用する握り部分の構造を示す。
図２（ａ）では、壁部３の外周側に、壁部３の周方向に間隔を置いて複数の凸部１１が設けられている。
【００２８】
入れ歯を入れ歯磨き器１に嵌めこんだ状態で、手で入れ歯を回転させる際には、入れ歯を一方の手で持ち、他方の手で入れ歯磨き器１を持って入れ歯の清掃を行うが、壁部３の外周側に、壁部３の周方向に間隔を置いて設けられた複数の凸部１１が設けられていることにより、入れ歯磨き器１を使用する人の握力が弱い場合であっても入れ歯磨き器１を持ちやすくなる。そのため、握力の弱い人が使用しても、しっかりと入れ歯磨き器１を持つことができ、簡単な操作で綺麗に入れ歯を磨くことができる。
【００２９】
図２（ｂ）では、土台２の下面に取手１２が設けられており、取手１２は、土台２の下面側を覆う突部１３を貫通する空隙部１４が設けられて形成されている。
【００３０】
取手１２の空隙部１４に手を差し込み、取手１２を握った状態で入れ歯磨き器１を持つことができるため、入れ歯磨き器１を使用する人の握力が弱い場合であっても入れ歯磨き器１を持ちやすくなる。そのため、握力の弱い人が使用しても、しっかりと入れ歯磨き器１を持つことができ、簡単な操作で綺麗に入れ歯を磨くことができる。
【００３１】
図２（ｃ）では、土台２の下面に取手１５が設けられており、取手１５は、土台２の下面側を覆う突部１６の中央部において下側に突出する突起１７が設けられて形成されている。
【００３２】
取手１５の突起１６を手の指で挟んだ状態で入れ歯磨き器を持つことができるため、入れ歯磨き器１を使用する人の握力が弱い場合であっても入れ歯磨き器１を持ちやすくなる。そのため、握力の弱い人が使用しても、しっかりと入れ歯磨き器１を持つことができ、簡単な操作で綺麗に入れ歯を磨くことができる。
【００３３】
図３は、土台２の下面側に滑り止め１８が設けられた例を示している。図３（ａ）は、断面図であり、図３（ａ）は底面図である。ここでは、滑り止め１８の一例として、シリコンのような摩擦係数を増大させる素材を同心円状に配置したものを示している。その他、シリコンを網目状に配置したものであってもよい。
【００３４】
片手が使用できない場合には、入れ歯磨き器１を台上に置いて使用することになるが、この場合に、土台２の下面側に滑り止め１８が設けられていると、入れ歯を入れ歯磨き器１に嵌めこんだ状態で、手で入れ歯を回転させる際に、入れ歯磨き器１を台上で動かないように固定することができる。そのため、片手でも入れ歯の清掃を行うことができる。
【００３５】
また、台との摩擦係数を増大させた滑り止め１８による仮固定であるため、入れ歯の清掃が終了すれば、入れ歯磨き器１を台上から取り外すことも容易にできる。滑り止め１８としては、入れ歯磨き器１と台との接触摩擦係数が増大するように形成されたものであれば、何であってもよい。
【００３６】
図４は、枠体４に嵌合する蓋１９を示している。図４（ａ）は、断面図であり、図４（ｂ）は底面図である。
蓋１９は、円盤状の上板２０と、上板２０の外周部に形成された外板２１とからなる蓋本体２２を備えている。上板２０の中央部領域に配列されて下向きに第四のブラシ２３が形成され、外板２１と第四のブラシ２３との間の領域に配列されて下向きに第五のブラシ２４が形成されている。第四のブラシ２３は第五のブラシ２４よりも長く形成され、第四のブラシ２３の長さは、中心部２５で最も長く、外周方向に向かって漸次短くなっている。
【００３７】
図５は、枠体４と蓋１９とを嵌合させる様子を示している。図５（ａ）は、枠体４と蓋１９とを対向させた状態を示し、枠体４の中心部８の位置と、蓋１９の中心部２５の位置とを一致させている。図５（ｂ）は、枠体４と蓋１９とを接近させた状態を示している。図５（ｃ）は、蓋１９の外板２１を枠体４の壁部３の外周側に嵌合させた様子を示している。
【００３８】
蓋１９を枠体４の壁部３の外周側に上方から嵌合させると、一方の手で枠体４を持ち、他方の手で蓋１９を持って相互に逆方向に回転させることによって、入れ歯磨き器１に嵌めこまれた入れ歯の清掃を、入れ歯自体を持たずに、枠体４と蓋１９の回転によって行うことができる。また、枠体４と蓋１９とを相互に逆方向に回転させるだけで、入れ歯の上面と下面を同時に磨くことができるため、入れ歯を入れ歯磨き器１に嵌めこむ際に、入れ歯を上下に入れ替える必要がなく、入れ歯磨き器１を操作する際の操作性が向上する。なお、図５においては、入れ歯磨き器１に嵌めこむ入れ歯は、図面における説明の都合上、省略している。
【００３９】
図６は、入れ歯磨き器１に入れ歯２６を嵌めこんだときに、ブラシが入れ歯に当たる状態を示している。図６（ａ）は、歯２７がブラシに接触するように入れ歯２６を嵌めこんだ状態を示し、図６（ｂ）は、入れ歯２６を裏返して嵌めこんだ状態を示している。
【００４０】
入れ歯２６は、入れ歯本体２８の周囲に歯２７が配列されて構成されており、図６（ａ）に示す状態では、歯２７の外周端に第一のブラシ５の毛先が当接し、歯２７の下端に第三のブラシ７の毛先が当接する。また、歯２７の内周端から入れ歯本体２８に亘って第二のブラシ６の毛先が当接する。そのため、入れ歯２６を入れ歯磨き器１に嵌めこんだ状態で、手で入れ歯２６を回転させるだけで、入れ歯磨き器１のそれぞれのブラシがスライドし、歯２７の外周端と下端と内周端および入れ歯本体２８に付着した汚れを簡単に除去することができる。
【００４１】
第二のブラシ６の長さは、中心部８で最も長く、外周方向に向かって漸次短くなっているため、ブラシの毛先が届きにくい入れ歯本体２８の中央最高部２９にも毛先が届くようになっている。また、ブラシの毛先は内側に向かって折れ曲がるようになり、汚れの落ちにくい中央最高部２９の清掃を行いやすい。
【００４２】
また、図６（ｂ）に示す状態では、ブラシの毛先は外側に向かって折れ曲がるようになり、汚れが残りやすい入れ歯本体２８の凹み３０の清掃を行いやすい。
【産業上の利用可能性】
【００４３】
本発明は、簡単な操作で一気に入れ歯の汚れを除去することができ、握力が弱い人が使用しても簡便に汚れを落とすことが可能な入れ歯磨き器として広く利用することができる。
【符号の説明】
【００４４】
１  入れ歯磨き器
２  土台
３  壁部
４  枠体
５  第一のブラシ
６  第二のブラシ
７  第三のブラシ
８  中心部
９  硬質短尺ブラシ
１０  軟質長尺ブラシ
１１  凸部
１２  取手
１３  突部
１４  空隙部
１５  取手
１６  突部
１７  突起
１８  滑り止め
１９  蓋
２０  上板
２１  外板
２２  蓋本体
２３  第四のブラシ
２４  第五のブラシ
２５  中心部
２６  入れ歯
２７  歯
２８  入れ歯本体
２９  中央最高部
３０  凹み
【要約】
【課題】簡単な操作で一気に入れ歯の汚れを除去することができ、握力が弱い人が使用しても簡便に汚れを落とすことが可能な入れ歯磨き器を提供する。
【解決手段】入れ歯磨き器１は、円盤状の土台２と、土台２の外周部に形成された壁部３とからなる枠体４を備えている。壁部３から枠体４の中心方向に向かって横向きに第一のブラシ５が形成され、土台２の中央部領域に配列されて上向きに第二のブラシ６が形成されている。また、第一のブラシ５と第二のブラシ６との間の領域に配列されて上向きに形成された第三のブラシ７を備えている。第二のブラシ６は第三のブラシ７よりも長く形成されており、第二のブラシ６の長さは、中心部８で最も長く、外周方向に向かって漸次短くなっている。
【選択図】図１【図１】
0005940749.tif 000002
【図２】
0005940749.tif 000003
【図３】
0005940749.tif 000004
【図４】
0005940749.tif 000005
【図５】
0005940749.tif 000006
【図６】
0005940749.tif 000007